(57)【要約】【課題】ＬＥＤ電球を直下型及び横向型の灯具に応用することができるＬＥＤ電球及びＬＥＤ照明装置を提供する。【解決手段】ＬＥＤ電球２００は、ＬＥＤ光源モジュール２０２と、ＬＥＤ光源モジュール２０２が上に配置されたベース２０８と、回転軸２１４を有し、ＬＥＤ光源モジュール２０２を駆動する駆動部２１０とを備える。駆動部２１０に対してＬＥＤ光源モジュール２０２が回転することが可能なように、駆動部２１０とベース２０８とが回転軸２１４を介して接続される。【選択図】図６
2010225578.tif 000002
【特許請求の範囲】
【請求項１】
ＬＥＤ光源モジュールと、
前記ＬＥＤ光源モジュールが上に配置されたベースと、
回転軸を有し、前記ＬＥＤ光源モジュールを駆動する駆動部と、を備え、
前記駆動部に対して前記ＬＥＤ光源モジュールが回転することが可能なように、前記駆動部と前記ベースとが回転軸を介して接続されることを特徴とするＬＥＤ電球。
【請求項２】
前記ベースは、ヒートシンクを有することを特徴とする請求項１に記載のＬＥＤ電球。
【請求項３】
前記駆動部は、固定スリーブと、前記固定スリーブの中で摺動可能なスライドスリーブと、を有し、
前記固定スリーブ及び前記スライドスリーブは、前記回転軸を介し、前記ベースに設けられた回転溝部の中で回転することを特徴とする請求項１に記載のＬＥＤ電球。
【請求項４】
前記駆動部は、前記固定スリーブの中に、前記固定スリーブと前記スライドスリーブとの間に配置された弾性部材を有することを特徴とする請求項３に記載のＬＥＤ電球。
【請求項５】
接続ソケットを有する灯具と、
ＬＥＤ光源モジュールと、前記ＬＥＤ光源モジュールが上に配置されたベースと、前記接続ソケットに装着されて回転軸を有する駆動部と、を有するＬＥＤ電球と、を備え、
前記駆動部に対して前記ＬＥＤ光源モジュールが回転することが可能なように、前記駆動部と前記ベースとが前記回転軸を介して接続されていることを特徴とするＬＥＤ照明装置。
【請求項６】
前記駆動部は、固定スリーブと、前記固定スリーブの中で摺動可能なスライドスリーブと、を有し、
前記固定スリーブ及び前記スライドスリーブは、前記回転軸を介して前記ベースに設けられた回転溝部の中で回転することを特徴とする請求項５に記載のＬＥＤ照明装置。
【請求項７】
前記駆動部は、前記固定スリーブの中に、前記固定スリーブと前記スライドスリーブとの間に配置された弾性部材を有することを特徴とする請求項６に記載のＬＥＤ照明装置。
【請求項８】
前記駆動部は、前記接続ソケットと接続された電源接続ポートを有することを特徴とする請求項５に記載のＬＥＤ照明装置。
【請求項９】
前記接続ソケットは、前記灯具の内側面から横向きに延設され、
前記駆動部は、前記ベースの外側面に配置されることを特徴とする請求項５に記載のＬＥＤ照明装置。
【請求項１０】
前記接続ソケットは、前記灯具の頂面上に配置され、
前記駆動部は、前記ベースの末端に配置されることを特徴とする請求項５に記載のＬＥＤ照明装置。
【発明の詳細な説明】
【技術分野】
【０００１】
本発明は、照明装置に関し、特にＬＥＤ電球及びＬＥＤ照明装置に関する。
【背景技術】
【０００２】
図１を参照する。図１に示すように、従来のＬＥＤ照明装置１００は、灯具１０２及び典型的なＬＥＤ電球１１２を含む。ＬＥＤ電球１１２は、駆動部１０４、ベース１０６、ＬＥＤライトプレート１０８及びランプカバー１１０を含む。ＬＥＤライトプレート１０８は、ベース１０６上に配置されている。ベース１０６は、ＬＥＤライトプレート１０８とともに駆動部１０４上に配置されている。ＬＥＤライトプレート１０８は、ランプカバー１１０により覆われている。ＬＥＤライトプレート１０８は、回路基板１１６及び複数のＬＥＤ１１４を含む。ＬＥＤ１１４は、回路基板１１６上に配置され、駆動部１０４と電気的に接続されている。灯具１０２上にＬＥＤ電球１１２の駆動部１０４を配置し、灯具１０２の中にＬＥＤ電球１１２を装着し、ＬＥＤ照明装置１００を製作する。
【０００３】
灯具１０２は、直下型（即ち、光の出射方向が上から下に向かうタイプ）の照明灯具である。そのため、直下型の照明灯具１０２の中にＬＥＤ電球１１２を装着しても、直下型の照明灯具と同様に、ＬＥＤ電球１１２の光が上から下に出射されるため、ＬＥＤ照明装置１００の照度は低下しない。
【０００４】
図２を参照する。図２に示すように、従来のＬＥＤ照明装置１００ａは、灯具１０２ａ及びＬＥＤ電球１１２を含む。ＬＥＤ照明装置１００ａでは、蛍光照明灯具の蛍光ランプの替わりに、ＬＥＤ電球１１２を使用している。ＬＥＤ照明装置１００は、ＬＥＤ照明装置１００ａと同じＬＥＤ電球１１２を使用しているが、灯具１０２ａが横向型の照明灯具である点がＬＥＤ照明装置１００ａと異なる。即ち、灯具１０２ａの接続ソケット１１８は、灯具１０２ａの内側面に横向きで延設されている。図１及び図２の照明灯具は、例えば埋込灯でもよい。
【０００５】
灯具１０２ａの内側面に設けられた接続ソケット１１８に、ＬＥＤ電球１１２の駆動部１０４を装着すると、ＬＥＤ電球１１２は、灯具１０２ａの中で横向きに設置され、ＬＥＤ電球１１２の前端に設けられたＬＥＤ１１４（図１に示す）は、灯具１０２ａの内側面に対向する。ＬＥＤ１１４の光の出射方向が指向性を備えているため、灯具１０２ａの内側面に光が出射される。そのため、ＬＥＤ電球１１２から出射された光の一部が下方に反射されずに、ＬＥＤ照明装置１００ａの照度が大幅に低下する虞があった。
【０００６】
上述したことから分かるように、従来のＬＥＤ電球は、ＬＥＤの光の出射方向が指向性を備えているため、直下型の照明灯具にしか応用できず、横向型の照明灯具には応用することができなかった。
【発明の概要】
【発明が解決しようとする課題】
【０００７】
本発明の目的は、ＬＥＤ光源モジュールを搭載したベースが回転軸を介して駆動部に接続され、駆動部に対してＬＥＤ光源モジュールが回転し、ＬＥＤの光の出射方向が灯具により制限されないため、ＬＥＤ電球を様々な分野で応用することができるＬＥＤ電球及びＬＥＤ照明装置を提供することにある。
本発明のもう一つの目的は、灯具を利用してＬＥＤ光源モジュールと駆動部との相対位置を調整することができるため、ＬＥＤ電球を直下型及び横向型の灯具に応用することができるＬＥＤ電球及びＬＥＤ照明装置を提供することにある。
【課題を解決するための手段】
【０００８】
（１）本発明は上記目的を達成するため、ＬＥＤ光源モジュールと、前記ＬＥＤ光源モジュールが上に配置されたベースと、回転軸を有し、前記ＬＥＤ光源モジュールを駆動する駆動部と、を備え、前記駆動部に対して前記ＬＥＤ光源モジュールが回転することが可能なように、前記駆動部と前記ベースとが回転軸を介して接続されることを特徴とするＬＥＤ電球を提供する。
【０００９】
（２）また、本発明は上記目的を達成するため、接続ソケットを有する灯具と、ＬＥＤ光源モジュールと、前記ＬＥＤ光源モジュールが上に配置されたベースと、前記接続ソケットに装着されて回転軸を有する駆動部と、を有するＬＥＤ電球と、を備え、前記駆動部に対して前記ＬＥＤ光源モジュールが回転することが可能なように、前記駆動部と前記ベースとが前記回転軸を介して接続されていることを特徴とするＬＥＤ照明装置を提供する。
【発明の効果】
【００１０】
本発明のＬＥＤ電球及びＬＥＤ照明装置は、ＬＥＤの光の出射方向が灯具により制限されないため、ＬＥＤ電球を様々な分野に応用することができる上、ＬＥＤ電球を直下型及び横向型の灯具に応用することができる。
【図面の簡単な説明】
【００１１】
【図１】従来のＬＥＤ照明装置を示す斜視図である。
【図２】従来の他のＬＥＤ照明装置を示す斜視図である。
【図３】本発明の一実施形態によるＬＥＤ電球を示す側面図である。
【図４】本発明の一実施形態によるＬＥＤ照明装置を示す断面図である。
【図５】本発明の一実施形態によるＬＥＤ電球を引き離したときの状態を示す側面図である。
【図６】本発明の一実施形態によるＬＥＤ電球を引き離したときの状態を示す断面図である。
【図７】本発明の一実施形態によるＬＥＤ電球を回転させるときの状態を示す斜視図である。
【図８】本発明の一実施形態によるＬＥＤ電球を回転させるときの状態を示す側面図である。
【図９】本発明の一実施形態によるＬＥＤ照明装置を示す断面図である。
【発明を実施するための形態】
【００１２】
以下、添付図面を参照して本発明の好適な実施形態について詳細に説明する。
【００１３】
図３及び図４を参照する。図３及び図４に示すように、本発明の一実施形態によるＬＥＤ電球２００は、ＬＥＤ光源モジュール２０２、ベース２０８、駆動部２１０を含む。ＬＥＤ光源モジュール２０２は、回路基板２０６及び複数のＬＥＤ２０４を含む。回路基板２０６には所望の回路が予め設けられ、回路基板２０６上に配置されたＬＥＤ２０４は、回路基板２０６上に予め設けられた回路と電気的に接続されている。
【００１４】
ＬＥＤ光源モジュール２０２は、ベース２０８上に搭載されている。図３に示すように、ベース２０８は、製品の必要に応じてヒートシンク２１８を含んでもよい。このヒートシンク２１８は、例えば、複数の放熱フィンを含み、ＬＥＤ光源モジュール２０２の動作により発生する熱を放熱させることができるため、ＬＥＤ光源モジュール２０２の発光効率を向上させ、寿命を延ばすことができる。本実施形態のＬＥＤ電球２００は、ＬＥＤ光源モジュール２０２を覆うランプカバー２１６を選択的に含んでもよい。ランプカバー２１６は、ＬＥＤ光源モジュール２０２を保護する機能を有する上、製品の必要に応じて光学効果（例えば、拡散効果）を調整する機能を有してもよい。
【００１５】
駆動部２１０は、ＬＥＤ光源モジュール２０２を駆動するために用いる。図３及び図４に示すように、駆動部２１０は、回転軸２１４を含み、この回転軸２１４を介してベース２０８に接続されている。図３に示すように、ＬＥＤ電球２００の駆動部２１０は、ベース２０８の末端に配置されている。駆動部２１０は、一般に電源接続ポート２１２を含む。電源接続ポート２１２は、外部電源と電気的に接続され、ＬＥＤ光源モジュール２０２に電源を供給する。本実施形態では、駆動部２１０の電源接続ポート２１２は、灯具との接続に用いる接続構造（図３のネジ構造２４０など）を含む。
【００１６】
図４を参照する。図４に示すように、本発明の一実施形態によるＬＥＤ照明装置２３２は、上述のＬＥＤ電球２００及び灯具２２８を含む。本実施形態のＬＥＤ照明装置２３２は、例えば、埋込灯でもよい。灯具２２８は、灯具２２８の頂面上に配置された接続ソケット２３０を含んでもよい。灯具２２８の接続ソケット２３０は、ＬＥＤ電球２００の駆動部２１０の電源接続ポート２１２の結合構造に応じ、対応した結合構造（図示せず）を有してもよい。例えば、駆動部２１０の電源接続ポート２１２がネジ構造２４０を有するため、灯具２２８の接続ソケット２３０の内側面に、対応するようにネジ構造が設けられてもよい。灯具２２８の接続ソケット２３０の中に電源接続ポート２１２を螺着させることにより、灯具２２８の中にＬＥＤ電球２００を装着し、ＬＥＤ照明装置２３２を製作してもよい。ここで、駆動部２１０の電源接続ポート２１２と、灯具２２８の接続ソケット２３０との接続方式は、上述の方式だけに限定されるわけでなく、その他の係合方式で行ってもよい。
【００１７】
図４に示すように、ＬＥＤ照明装置２３２の灯具２２８は、直下型の照射灯具である。ＬＥＤ電球２００の駆動部２１０は、ベース２０８の末端に配置されている。これにより、灯具２２８にＬＥＤ電球２００が装着された後、ＬＥＤ電球２００のＬＥＤ光源モジュール２０２のＬＥＤ２０４の光の出射方向が上から下に向かう方向となるため、ＬＥＤ電球２００の光の全てが下方に出射され、ＬＥＤ照明装置２３２は所定の照度を得ることができる。
【００１８】
図３及び図４に示すように、ＬＥＤ電球２００の駆動部２１０は、固定スリーブ２２０及びスライドスリーブ２２２を選択的に含んでもよい。スライドスリーブ２２２は、摺動可能に固定スリーブ２２０に外嵌させてもよい。ＬＥＤ電球２００の駆動部２１０が有する回転軸２１４は、固定スリーブ２２０の端部に貫設し、固定スリーブ２２０の中にスライドスリーブ２２２が配置され、回転軸２１４を介して固定スリーブ２２０及びスライドスリーブ２２２がベース２０８と一体化されている。本実施形態において、ＬＥＤ電球２００の駆動部２１０は、弾性部材２２４（例えば、スプリング又は弾性ワッシャ）を選択的に含んでもよい。この弾性部材２２４は、スライドスリーブ２２２の外側面に周設され、固定スリーブ２２０とスライドスリーブ２２２との間に設けて弾性を提供することにより、駆動部２１０とベース２０８との間の結合及び位置決めを行う。
【００１９】
駆動部２１０の固定スリーブ２２０及びスライドスリーブ２２２の設計に応じ、ＬＥＤ電球２００のベース２０８には、回転溝部２２６が設けられている。回転溝部２２６は、ベース２０８に設けられ、駆動部２１０の回転軸２１４は、ベース２０８の回路基板２０６に亘るように固定され、固定スリーブ２２０及びスライドスリーブ２２２は、回転溝部２２６の中に配置されている。固定スリーブ２２０及びスライドスリーブ２２２は、回転軸２１４によりベース２０８の回転溝部２２６の中で回転することができる。即ち、ベース２０８に積載されたＬＥＤ光源モジュール２０２は、駆動部２１０に対して回転することができる。
【００２０】
そのため、本実施形態のＬＥＤ電球２００は、様々な灯具に応じ、ＬＥＤ光源モジュール２０２と駆動部２１０との相対位置を回転方式により調整することができる。
【００２１】
図５及び図６を参照する。図５及び図６に示すように、ＬＥＤ電球２００は、駆動部２１０の固定スリーブ２２０及びスライドスリーブ２２２の設計により、ベース２０８と駆動部２１０との間を引き離して間隔をあけると（図５に示す）、固定スリーブ２２０からスライドスリーブ２２２が外方に摺動され、弾性部材２２４が圧縮される（図６に示す）。
【００２２】
図７及び図８を参照する。図７及び図８に示すように、ＬＥＤ電球２００のベース２０８と駆動部２１０とが引き離された後、回転軸２１４により駆動部２１０とベース２０８とを相対的に回転させることができる。即ち、ＬＥＤ電球２００の駆動部２１０を、ベース２０８の側面まで回転させた後、駆動部２１０の固定スリーブ２２０とスライドスリーブ２２２との間に配置した弾性部材２２４の弾性回復力により、スライドスリーブ２２２を固定スリーブ２２０に向けて引き戻し、ベース２０８の外側面に当接して位置決めを行う（図９に示す）。
【００２３】
これにより、ＬＥＤ電球２００は、横向型の照明灯具の中に装着させることができる。図９に示すように、ＬＥＤ照明装置２３８の灯具２３４は、横向型の照明灯具であり、灯具２３４の接続ソケット２３６は、灯具２３４の内側面から横向に延設されている。そのため、ＬＥＤ電球２００が灯具２３４の中に装着され、灯具２３４の接続ソケット２３６の中に、ＬＥＤ電球２００の駆動部２１０に設けられた電源接続ポート２１２が装着された後、ベース２０８の前端に配置したＬＥＤ光源モジュール２０２のＬＥＤ２０４の照明方向は、灯具２３４の内側面へ向かう方向でなく、上から下に向かう方向となる。これにより、灯具２３４の中にＬＥＤ電球２００が装着された後、ＬＥＤ電球２００のＬＥＤ光源モジュール２０２は、灯具２３４の影響を受けずに好適な照度を得ることができる。本実施形態のＬＥＤ照明装置２３８は、例えば埋込灯でもよい。
【００２４】
上述の実施形態から分かるように、本発明のＬＥＤ電球の長所は、回転軸を介してＬＥＤ光源モジュールが搭載されたベースを駆動部に接続させることにより、ＬＥＤ光源モジュールを駆動部に対して回転させることができるため、出射方向が灯具により限定されることがなく、ＬＥＤ電球を様々な分野で応用することができる点である。
【００２５】
また、本発明のＬＥＤ電球のもう一つの長所は、ＬＥＤ光源モジュールと駆動部との相対位置を灯具に応じて調整することができるため、直下型及び横向型の照射灯具に応用することができる点である。
【００２６】
当該分野の技術を熟知するものが理解できるように、本発明の好適な実施形態を前述の通り開示したが、これらは決して本発明を限定するものではない。本発明の主旨と範囲を脱しない範囲内で各種の変更や修正を加えることができる。従って、本発明による特許請求の範囲は、このような変更や修正を含めて広く解釈されるべきである。
【符号の説明】
【００２７】
１００…ＬＥＤ照明装置、１００ａ…ＬＥＤ照明装置、１０２…灯具、１０２ａ…灯具、１０４…駆動部、１０６…ベース、１０８…ＬＥＤライトプレート、１１０…ランプカバー、１１２…ＬＥＤ電球、１１４…ＬＥＤ、１１６…回路基板、１１８…接続ソケット、２００…ＬＥＤ電球、２０２…ＬＥＤ光源モジュール、２０４…ＬＥＤ、２０６…回路基板、２０８…ベース、２１０…駆動部、２１２…電源接続ポート、２１４…回転軸、２１６…ランプカバー、２１８…ヒートシンク、２２０…固定スリーブ、２２２…スライドスリーブ、２２４…弾性部材、２２６…回転溝部、２２８…灯具、２３０…接続ソケット、２３２…ＬＥＤ照明装置、２３４…灯具、２３６…接続ソケット、２３８…ＬＥＤ照明装置、２４０…ネジ構造
【図１】
2010225578.tif 000003
【図２】
2010225578.tif 000004
【図３】
2010225578.tif 000005
【図４】
2010225578.tif 000006
【図５】
2010225578.tif 000007
【図６】
2010225578.tif 000008
【図７】
2010225578.tif 000009
【図８】
2010225578.tif 000010
【図９】
2010225578.tif 000011